(57)【特許請求の範囲】
【請求項１】
胴部と、前記胴部の天面を覆う頂部と、持ち手と、を備えて内部に複数の物品を収容し、当該収容状態において略直方体形状を呈する包装袋であって、
前記頂部は、前記天面と平行に配されて前記物品を覆う天面部と、その周縁から立ち上がる立ち上がり部と、を含み、
前記天面部には、破断に応じ開口を形成することで前記包装袋を開封する開封線が設けられ、
前記立ち上がり部には、互いに係合可能な一対の係合部を有し、前記包装袋の内部を開放／閉塞することが可能な開閉部であって、前記係合部同士を係合させることで、前記立ち上がり部によって前記開口が覆われるようにする開閉部が設けられ、
前記持ち手は、前記包装袋の外側面と、前記立ち上がり部および前記天面部が区画する空間に面した領域と、のいずれか一方に取り付けられ、前記開閉部は前記外側面および前記領域の他方に設けられている、
ことを特徴とする包装袋。
【請求項２】
前記持ち手が前記外側面に取り付けられ、前記開閉部が前記領域に設けられていることを特徴とする請求項１に記載の包装袋。
【請求項３】
前記開閉部は、前記天面部の上の空間に面する前記立ち上がり部の内側面の周方向の全体に亘って連続して設けられ、前記持ち手は、前記立ち上がり部の前記内側面とは反対側の面に取り付けられていることを特徴とする請求項２に記載の包装袋。
【請求項４】
前記開閉部は、前記立ち上がり部の端縁に沿って設けられていることを特徴とする請求項２または３に記載の包装袋。
【請求項５】
前記持ち手は、前記立ち上がり部の対向する側面部分に取り付けられていることを特徴とする請求項２ないし４のいずれか一項に記載の包装袋。
【請求項６】
前記物品が衛生用品であることを特徴とする請求項１ないし５のいずれか一項に記載の包装袋。
【請求項７】
請求項１から請求項６のいずれか一項に記載の包装袋に衛生用品を収容してなることを特徴とする包装体。
【発明の詳細な説明】
【技術分野】
【０００１】
本発明は、包装袋および包装体に関し、特に複数の物品を収容するのに好適な包装袋および該包装袋により物品を収容した包装体に関するものである。
【背景技術】
【０００２】
物品、例えば使い捨ておむつ、軽失禁パッド、生理用品等の衛生用品は、一般に、包装袋に複数を収容した包装体の状態で販売され、購買者は包装袋を開封することで衛生用品を取り出すことが可能となる。このような包装体は、未使用の衛生用品を収容した状態で保管されるので、一旦開封された後も塵埃や虫などの異物が内部に侵入しない、清潔な状態で保管されることが強く望ましい。そのため、包装袋にプラスチック製のチャックなど、内部の開放／閉塞が可能な開閉部を設け、必要枚数の衛生用品を取り出した後に内部を再閉塞できる構成が採用されることがある。一方、衛生用品が多数収容された状態で販売される包装体の包装袋には、購買者の可搬性を考慮して持ち手が取り付けられているものがある（例えば特許文献１）。
【先行技術文献】
【特許文献】
【０００３】
【特許文献１】特開２００１−２４７１８１号公報
【発明の概要】
【発明が解決しようとする課題】
【０００４】
上述の開閉部と持ち手とをともに包装袋に設ける場合には、開閉部の配置および持ち手の取り付け領域の配置は、包装袋の製造上の制約を緩和し、さらには開閉部を閉じる際の操作性を考慮しつつ、適切に定められていることが望ましい。
【０００５】
本発明は、かかる課題の認識に基づいてなされたものである。
【課題を解決するための手段】
【０００６】
そのために、本発明は、胴部と、前記胴部の天面を覆う頂部と、持ち手と、を備えて内部に複数の物品を収容し、当該収容状態において略直方体形状を呈する包装袋であって、前記頂部は、前記天面と平行に配されて前記物品を覆う天面部と、その周縁から立ち上がる立ち上がり部と、を含み、前記天面部には、破断に応じ開口を形成することで前記包装袋を開封する開封線が設けられ、前記立ち上がり部には、互いに係合可能な一対の係合部を有し、前記包装袋の内部を開放／閉塞することが可能な開閉部であって、前記係合部同士を係合させることで、前記立ち上がり部によって前記開口が覆われるようにする開閉部が設けられ、前記持ち手は、前記包装袋の外側面と、前記立ち上がり部および前記天面部が区画する空間に面した領域と、のいずれか一方に取り付けられ、前記開閉部は前記外側面および前記領域の他方に設けられている、ことを特徴とする。
【０００７】
また、本発明は、そのような包装袋に衛生用品を収容してなる包装体に存する。
【発明の効果】
【０００８】
本発明によれば、包装袋の外側面と、立ち上がり部および天面部が区画する空間に面した領域と、のいずれか一方に持ち手の取り付け領域を、他方に開閉部を配することで、それぞれの配置を互いに独立して定めることができる。これにより、設計または製造上の要求等に応じて、持ち手および開閉部を好ましい位置に配置することができるようになる。そして、例えば、立ち上がり部の端縁（上端縁）に沿って開閉部を配置することで、開閉部を閉じる操作もし易いものとなる。
【図面の簡単な説明】
【０００９】
【図１】本発明の第１の実施形態に係る包装袋を示す斜視図である。
【図２】チャック部の機能および作用を、持ち手と関連させて説明するための図であり、（ａ）は図１のＩＩａ方向から見た頂部付近の側断面図、（ｂ）はチャック部を閉じた状態の頂部付近の側断面図、（ｃ）はチャック部を閉じた状態の包装袋を模式的に示す斜視図である。
【図３】（ａ）は図１のＩＩＩａ方向から見た包装袋の側断面図、（ｂ）は包装袋の上面図である。
【図４】持ち手との位置関係によらずチャック部を閉じる操作を行うことができることを説明するために、立ち上がり部の一部を模式的に示した断面図である。
【図５】（ａ）および（ｂ）は、本発明の第２の実施形態の構成および動作を説明するために、立ち上がり部の一部を模式的に示した断面図である。
【図６】本発明の第３の実施形態に係る包装袋を示す斜視図である。
【発明を実施するための形態】
【００１０】
本明細書および特許請求の範囲の記載において、「天面」および「底面」とは、包装袋によって区画された衛生用品の収容空間の面自体を指すものとして参照される。これに対し、「底面部」および「天面部」とは、包装袋の実体的な部分を指すものとして参照される。但し、これらの用語はあくまで便宜上のものであり、重力方向における絶対的な位置を規定するものではないことは勿論である。また、「上」、「下」などの用語が現れる場合についても同様である。
【００１１】
さらに、本明細書および特許請求の範囲の記載における「閉塞」という用語は、包装体の内部を雰囲気から完全に遮断すること（すなわち封止すること）だけでなく、包装体の内部を異物の侵入から効果的に保護できる程度に実質的に包装袋を閉じることも包含するものである。
【００１２】
＜第１の実施形態＞  
図１は、本発明の第１の実施形態に係る包装袋１ないしは包装体１００を示す斜視図である。包装袋１は、概して、底面部および側面部を有し、物品である衛生用品が多数集積可能な胴部３と、天面を覆っている実体的な部分である天面部５およびその周縁から立ち上がる立ち上がり部６を含む頂部４と、を備える。なお、これらの部分は別体に製造された後に一体化されたものではなく、１枚のシート状部材の折り曲げ等によって予め一体に形成することが可能なものであって、少なくとも外観上、胴部３と頂部４との間に明確な境界が現れるものではない。本実施形態の包装体１００は、図１に示すように、衛生用品２を複数収容した状態で略直方体形状を有する。つまり、胴部３の底面部と頂部４の天面部５とは平行に対向する略長方形をなす。
【００１３】
頂部４の天面部５の中央付近には、上記略長方形の長辺と平行に延在する、例えばミシン目形状の開封線７が設けられ、これを破断することで、包装袋１の開口が形成される。本実施形態では、天面部５と、収容する衛生用品とに間隙を設けた包装体１００とすることによって、頂部の天面部に設けられた開封線７の両側を互いに離れる方向に引っ張って破断させる操作を容易にする掴み代が形成されるようにしている。開封線７が破断されることによってスリット状の開口が形成されると、ユーザはこの開口を介して必要枚数の衛生用品を取り出すことができる。
【００１４】
頂部４の立ち上がり部６には、包装袋１の内部を開放／閉塞することが可能な開閉部として、プラスチック製の咬合具の形態のチャック部８が設けられている。チャック部８は、立ち上がり部６が囲む天面部５上の空間に面する内側面６ｉの周方向に設けられており、互いに係合可能な一対の係合部として、互いに咬合可能な雄型および雌型のエレメント８ａおよび８ｂを有する。このチャック部８は、開封線７が破断されて包装袋１が開封された後に使用され、エレメント８ａおよび８ｂを咬合／咬合解除させることで包装袋１を開閉可能とするものである。本実施形態においては、チャック部８は立ち上がり部６の上縁近傍に設けられている。
【００１５】
一方、立ち上がり部６の内側面６ｉとは反対側の外側面６ｏには、上記略長方形の対向する一対の長辺につながる側面部分６ａ，６ｂに、可搬性を考慮した持ち手１５が取り付けられる。本実施形態では、それぞれの持ち手１５は例えば柔軟な樹脂性の帯状部材であって、その両端部分は、外側面６ｏの部分に対し、加熱による溶着法や接着剤の塗布による接着など公知の取り付け法を適用することによって固着される。取り付け法や、固着される部分（以下、取り付け領域という）１５ａの面積や形状は、包装体の重量ないしは運搬時に作用する引っ張り力などを考慮して適切に定められる。本実施形態においては、取り付け領域１５ａはチャック部８よりも下方に位置している。
【００１６】
図２はチャック部８を閉じる動作を説明するための図であり、（ａ）は図１のＩＩａ方向から見た頂部４の付近の側断面図、（ｂ）はチャック部を閉じた状態の頂部４の付近の側断面図、（ｃ）はチャック部８を閉じた状態の包装袋１を模式的に示す斜視図である。必要枚数の衛生用品を取り出した後、立ち上がり部６の対向側面部分６ａ，６ｂを図２（ａ）の矢印で示すように互いに近接させ、図２（ｂ）に示すようにエレメント８ａ，８ｂを互いに咬合させることで、図２（ｃ）に示すような状態となる。本実施形態では、開封線７が破断されることによって形成されたスリット状の開口７’よりも、咬合したエレメント８ａ，８ｂが上方に位置している。従って、図２（ｂ）および（ｃ）に示すように開口７’は立ち上がり部６によって覆われ、外部に露出しないため、開口７'を介した異物の侵入が効果的に防止されることになる。また仮に、閉じたチャック部８の上方にある立ち上がり部６の対向側面部分６ａ，６ｂ間に異物が存在しても、チャック部８の開放時にその異物は天面部５上に落下するため、直ちに胴部３内には侵入しない。この際、開口７'がスリット状であれば、胴部３内への侵入がより効果的に防止される。本実施形態によれば、包装袋の内部を異物の侵入から保護して、未使用の衛生用品を清潔な状態に保つことが可能となる。
【００１７】
また、このようにチャック部８を閉じる動作を行う際、持ち手１５の取り付け領域１５ａは立ち上がり部分６の外側面６ｏに位置しているので、エレメント８ａ，８ｂのいずれもが持ち手１５と干渉することがない。従って、対向側面部分６ａ，６ｂを互いに近接させ、エレメント８ａ，８ｂをそのまま互いに咬合させる操作を行うことができる。これに対し、取り付け領域１５ａがチャック部８と同じ内側面に位置する構成では、包装袋１の製造に際して両者が重畳しないように精密な位置決めが必要となり、製造工程が複雑化することが考えられる。また、取り付け領域とチャック部とが重畳しないようにしてチャック部を取り付け領域の上方に配置したとしても、チャック部との干渉を避けるために持ち手部を包装袋の内方に折り返す手間が掛かることになる。
【００１８】
次に、本実施形態におけるチャック部８の好ましい配置について説明する。  
図３（ａ）は図１のＩＩＩａ方向から見た包装袋１の側断面図、図３（ｂ）は包装袋１の上面図（但し、図３（ｂ）では持ち手１５の図示は省略されている）である。本実施形態においては、図３（ａ）に示すように、包装袋１には収容した衛生用品２と天面部５とに間隙Ｌ２が設けられる。つまり、このように間隙Ｌ２が設けられることによって、包装袋１の天面部５に掴み代を形成することが可能となる。掴み代が形成されるための間隙Ｌ２は適切に設定することができ、例えば、上記略長方形の短辺Ｌ１（図３（ｂ））の２分の１以上とすることができる。この場合、収容した衛生用品２とチャック部８との間隔（高さ）Ｌ３は、略長方形の長辺に相当する立ち上がり部６の対向側面部分６ａ，６ｂを短辺方向に引き寄せてチャック部８を閉じる（エレメント８ａおよび８ｂの咬合を行わせる）という条件に基づけば、Ｌ３＞Ｌ２≧（１／２）Ｌ１であるべきである。
【００１９】
さらに、チャック部８はユーザがエレメント８ａおよび８ｂの咬合を行わせる際に指が届き易い位置に設けられることが好ましい。そのために、以上説明した第１の実施形態では、チャック部８を立ち上がり部６の上縁近傍に配置したものである。
【００２０】
しかしその他の必要に応じてチャック部８を上縁近傍以外の位置に設けることが望まれる場合にも、チャック部８を立ち上がり部６の内側面６ｉに、取り付け領域１５ａを立ち上がり部分６の外側面６ｏに設けるという技術思想は好ましく対応できるものである。
【００２１】
図４は立ち上がり部分６の一部を模式的に示した断面図であり、ある取り付け領域１５ａの位置に対して、チャック部８が上方に設けられている場合、同じ位置に設けられている場合および下方に設けられている場合を、それぞれ、符号８ｈ、８ｍおよび８ｌで示している。この図から明らかなように、チャック部８がどの位置にある場合でも、矢印で示すように対向側面部分６ａ，６ｂを互いに近接させ、持ち手１５と干渉することなくそのままチャック部８を閉じる動作を行うことができる。つまり、取り付け領域１５ａとチャック部８とは、それぞれの配置を互いに独立して定めることができるので、配置の自由度が増し、設計または製造上の要求等に応じた好ましい位置に配置することができるようになる。
【００２２】
＜その他の実施形態＞  
本発明は、以上説明した第１の実施形態および変形例に限られない。
【００２３】
以上の第１の実施形態では、包装袋１の天面部５に掴み代が形成されることを前提として間隙Ｌ２を設定したが、これは必須ではない。つまり衛生用品２は、胴部３の底面部から頂部４の天面部５までの空間全域に集積されるものでもよく、チャック部８を閉じる操作を可能とする上では、Ｌ３＞（１／２）Ｌ１であるように規定されていればよい。また、上面視において包装袋が略正方形状をなすのであれば、Ｌ３を当該正方形の一辺の長さに基づいて規定することができる。
【００２４】
また、第１の実施形態では、高さＬ３を、開封前に包装袋１に収容されている衛生用品２の位置から規定したが、開封前には開封線７が閉塞機能を果たしているために、チャック部８が閉じていることは要件ではない。従って、例えば衛生用品が平積みされた状態で収容される包装袋であれば、開封前の段階では上記高さＬ３が確保されていなくても、最上位の一枚が取り出されたときに高さＬ３が確保されればよい。
【００２５】
また、第１の実施形態では、チャック部８を内側面６ｉの周方向の全体に亘って連続して配置したが、チャック部８が所望の閉塞機能を有する限りにおいて、内側面６ｉの周方向の一部にのみ配置してもよいし、また内側面６ｉの周方向の全体に亘って断続して配置してもよい。
【００２６】
さらに、本発明は、立ち上がり部６が内側面６ｉおよび外側面６ｏの２側面を有し、チャック部８と取り付け領域１５ａとを異なる側面に配置することを基本的な技術思想とするものである。すなわち、上記第１実施形態と異なり、チャック部８を立ち上がり部６の外側面６ｏに、取り付け領域１５ａを立ち上がり部分６の内側面６ｉに配置する構成を排除するものではない。
【００２７】
図５は、かかる構成を備えた第２の実施形態を説明するために立ち上がり部分６の一部を模式的に示した断面図であり、（ａ）はチャック部８を閉じる前の状態を、（ｂ）は閉じた状態を示している。図５（ａ）に示すようにチャック部８が立ち上がり部６の外側面６ｏに位置する場合、図５（ｂ）に示すように、立ち上がり部６を天面部側に折り返し、エレメント８ａ，８ｂを咬合させることができる。このときの折り返し動作に伴って持ち手１５も自然に天面部側に折り返されて内部空間に位置することになるので、持ち手１５との干渉が生じることなくエレメント８ａ，８ｂを咬合させることができる。このことは、図４のように取り付け領域１５ａに対しチャック部８がどの位置にある場合でも同様である。
【００２８】
さらに、上記第１の実施形態では、上面視した場合において略長方形を呈する包装袋において、当該略長方形の対向する一対の長辺につながる側面部分６ａ，６ｂにそれぞれ持ち手１５が取り付けられるものとしたが、持ち手１５の取り付け位置および形態については適宜定め得るものである。例えば、少なくとも１本の帯状部材の端部をそれぞれ側面部分６ａ，６ｂに取り付けること、すなわち当該帯状部材が天面部５を跨ぐような構成の持ち手を設けることも可能である。また、略長方形の対向する一対の短辺につながる側面部分に持ち手が取り付けられるものでもよい。いずれにしても、チャック部８と取り付け領域１５ａとを異なる立ち上がり部分６の異なる側面に配置するという本発明の基本的な技術思想は、持ち手の取り付け位置の自由度を増すことにも資するものである。
【００２９】
さらに加えて、第１の実施形態では天面部５にミシン目形状の開封線を形成するものとしたが、これに代えて、簡単に破断可能な素材で構成された易破断部形態の開封線を包装袋の天面部に設けてもよい。また、開封線を形成せずに、両縁を掴んで開封するような包装袋についても本発明は適用可能である。
【００３０】
また、第１の実施形態では、閉じたチャック部８と開口７’とが平行となるように、チャック部８および開封線７が形成されているものとした。しかし、例えば、開封線７を上記略長方形の短辺と平行な方向に形成する一方、チャック部８を長辺方向に延在するようにしてもよい。
【００３１】
加えて、第１の実施形態では、持ち手１５の取り付け領域１５ａを立ち上がり部６の外側面６ｏとしたが、これに限られない。持ち手１５が天面より下の位置で胴部３の外側面に取り付けられるものでもよい。つまり、持ち手１５は、立ち上がり部６と胴部３とが形成する包装袋１の外側面の任意所望の位置に取り付けることができる。
【００３２】
また、開閉部８の配置についても、立ち上がり部６の対向する側面部分とするだけでなく、天面部５に設けることができる。つまり、上述のように、天面部５と、収容する衛生用品とに間隙を設けた包装体１００とすることによって掴み代が形成される構成であれば、天面部５の弛みが許容されることになる。従って、天面部５にチャック部８を配置しても、弛みがあれば、ユーザは開封線７の破断によって生じた開口７’の両側を掴んで互いに引き寄せ、エレメント８ａ，８ｂ同士を互いに咬合させることができる。
【００３３】
図６は本発明の第３の実施形態を示し、持ち手１５を天面より下の位置で胴部３の外側面に取り付けた構成と、天面部５の開封線７の近傍に、開封線７と平行に一対のエレメント８ａ，８ｂを設けた構成とを採用した例である。但し、これらの構成が同時に採用されることは必須ではない。
【００３４】
いずれにしても、本発明の規定、すなわち、包装袋の外側面と、立ち上がり部および前記天面部が区画する空間に面した領域と、の一方に持ち手の取り付け領域を、他方に開閉部を配するという規定に従えば、包装袋の製造上の制約を緩和し、さらには開閉部を閉じる際の操作性を考慮した、包装袋の好ましい設計が可能となる。
【００３５】
さらに、以上の実施形態では、開閉部として雌雄咬合型のチャック部を用いた例について説明したが、その他、面ファスナ形態の開閉部を用いることもできることは勿論である。
【００３６】
さらに、以上の説明では衛生用品を収容するのに好適な包装袋およびその包装袋に物品を収容した包装体を例示した。しかし、本発明はその他の物品を収容するための包装袋ないしは包装体にも適用でき、特に、開封後の保管時に雰囲気から遮断されることが好ましい物品（食品、薬品、医療品など）を収容するのに適したものである。
【符号の説明】
【００３７】
１  包装袋
２  衛生用品
３  胴部
４  頂部
５  天面部
６  立ち上がり部
６ｉ  立ち上がり部の内側面
６ｏ  立ち上がり部の外側面
７  開封線
８  チャック部
１５  持ち手
１５ａ  持ち手の取り付け領域
１００  包装体
【図１】
0006428481.tif 000002
【図２】
0006428481.tif 000003
【図３】
0006428481.tif 000004
【図４】
0006428481.tif 000005
【図５】
0006428481.tif 000006
【図６】
0006428481.tif 000007